(57)【特許請求の範囲】
【請求項１】
天井内部に垂設された吊り支持棒に本体の相対する側面にそれぞれ設けられた取付金具を固定し、前記天井に形成された取付開口に前記本体を装着するようにした天吊形空気調和機の据付装置において、前記取付金具の少なくとも一方は、前記吊り支持棒に挿入して固定する取付溝の開口端が外方に向かって拡開するよう形成されていると共に、本体の片側面に設けられた取付金具には、吊り支持棒の挿入方向の取付溝と本体との間にスライド溝が連設されていることを特徴とする天吊形空気調和機の据付装置。
【請求項２】
スライド溝は、長さが本体の相対する側面に設けられた取付金具の長さ以上であることを特徴とする請求項１記載の天吊形空気調和機の据付装置。
【請求項３】
両取付金具の先端間の本体を含む長さが、天井の取付開口の長さ以下であることを特徴とする請求項１記載の天吊形空気調和機の据付装置。
【発明の詳細な説明】
【０００１】
【発明の属する技術分野】
本発明は、吊りボルトに取付金具を固定し本体を天井の取付開口に装着する天吊形空気調和機の据付装置に関する。
【０００２】
【従来の技術】
従来、例えばスプリット形空気調和機で室内ユニットを天井面に取り付けるものでは、室内ユニット本体の相対する側面にそれぞれＴ字状の取付溝や長孔等が形成された２つの取付金具を延出するように設け、一方、天井の内部の根太等に４本の吊りボルトを取付金具に対応させるように垂設しておき、吊りボルトに取付金具を挿入しナットを螺設することによって固定し、室内ユニット本体を天井の取付開口に装着するようにして室内ユニットの据え付けが行われている。
【０００３】
そして取付金具にＴ字状の取付溝が形成されているものでは、室内ユニット本体の取付金具の取付溝のピッチが吊りボルトのピッチと等しくなっており、室内ユニット本体の据え付けを完了した時点で取付溝の最奥部に吊りボルトが位置するようになっていた。
【０００４】
このため、据え付けに際しては吊りボルトの先端部分と上方部分にナットを予め螺着すると共に、片側に２つの吊りボルトは根太へのボルトを緩めて、ある程度自由度を持たせておく。
【０００５】
そして、室内ユニット本体全体を天井内に持ち上げ、緩めてない側の吊りボルトに他方側の取付金具の取付溝開口を挿入してから、緩めておいた側の吊りボルトを横方向から取付金具の取付溝に挿入し、両側の吊りボルトの先端部分と上方部分のナットで締め、これらのナットによって取付金具を挟持する。その後、緩めてある根太へのボルトを本締めして室内ユニット本体の吊りボルトへの固定が完了する。
【０００６】
また、取付金具に長孔が形成されているものでは、取付金具の長孔のピッチが吊りボルトのピッチに等しいものとなっている。吊りボルトには中間部分にそれぞれ１つのナットが予め螺着してある。
【０００７】
このため、据え付けに際しては室内ユニット本体を天井内に持ち上げ、取付金具の長孔を対応する吊りボルトに先端から挿入する。その後、室内ユニット本体全体を持ち上げたまま吊りボルトの先端に、もう１つのナットを所定の位置に室内ユニット本体が保持されるよう螺着する。そして上方側のナットを締めることによって室内ユニット本体の吊りボルトへの固定が完了する。
【０００８】
しかしながら上記の従来技術においては、取付金具を天井内に垂設された吊りボルトに挿入するため、必ず天井内に室内ユニット本体を持ち上げ、そのまま保持して吊りボルトと取付金具の位置出しをしなければならない。また室内ユニット本体を作業中持ち上げ保持していなければならず、作業は２人以上の作業者で行ったり、あるいはリフター等を用いて行う必要がある。
【０００９】
さらに取付金具を吊りボルトに挿入する際、容易に挿入ができるよう吊りボルトを若干遊ばせておいたり、根太へのボルトを大きく緩めておいたりする必要があり、室内ユニット本体を取り付けた後に再度ナットの本締めをしなければならず室内ユニットの据え付け作業が面倒なものとなっていた。
【００１０】
【発明が解決しようとする課題】
上記のように室内ユニット本体を天井に装着するため取付金具を天井内に垂設された吊りボルトに挿入する際、従来は必ず天井内に室内ユニット本体を持ち上げ保持して吊りボルトと取付金具の位置出しをしたり、複数の作業者で、あるいはリフター等を用いて作業する必要があり、また取付金具を吊りボルトに挿入するときには根太へのボルトを大きく緩めておき、後で本締めをして据え付けなければならず面倒なものであった。このような状況に鑑みて本発明はなされたもので、取付金具の取付溝形状を変更することによって、据付作業が容易なものとなり据え付けが短時間のうちに行える据付性の向上した天吊形空気調和機の据付装置を提供することを目的とする。
【００１１】
【課題を解決するための手段】
本発明の天吊形空気調和機の据付装置は、天井内部に垂設された吊り支持棒に本体の相対する側面にそれぞれ設けられた取付金具を固定し、天井に形成された取付開口に本体を装着するようにした天吊形空気調和機の据付装置において、取付金具の少なくとも一方は、吊り支持棒に挿入して固定する取付溝の開口端が外方に向かって拡開するよう形成されていると共に、本体の片側面に設けられた取付金具には、吊り支持棒の挿入方向の取付溝と本体との間にスライド溝が連設されていることを特徴とするものであり、
さらに、スライド溝は、長さが本体の相対する側面に設けられた取付金具の長さ以上であることを特徴とするものであり、
さらに、両取付金具の先端間の本体を含む長さが、天井の取付開口の長さ以下であることを特徴とするものである。
【００１２】
【発明の実施の形態】
以下、本発明の実施形態を図１乃至図７を参照して説明する。図１は斜視図であり、図２は要部の平面図であり、図３は据え付けの第１の過程を示す斜視図であり、図４は据え付けの第２の過程を示す図で、図４（ａ）は斜視図、図４（ｂ）は要部の平面図であり、図５は据え付けの第３の過程を示す図で、図５（ａ）は斜視図、図５（ｂ）は要部の平面図であり、図６は第１の変形形態における部分斜視図であり、図７は第２の変形形態における要部の平面図である。
【００１３】
図１乃至図５において、１はスプリット形の天吊形空気調和機の室内ユニットで、これは薄形の略直方体形状をなしており下面側に調和空気の吹き出し口が設けられた室内ユニット本体２と、この室内ユニット本体２の相対する側面、例えば図１乃至図５中における左右の側面にそれぞれ２つ離間して延出する平板状の第１及び第２の取付金具３，４とを備えて構成されている。そして室内ユニット１は、天井内に第１及び第２の取付金具３，４に対応して垂設された室内ユニット１の支持棒である４本の吊りボルト５とナット６により、室内ユニット本体２を天井に形成された取付開口７に装着するようにして据え付けられる。
【００１４】
第１の取付金具３は室内ユニット本体２の左側面に設けられていて、これには先端から右方向に中間部分にかけて切り込まれ中間部分では前後方向に切り込まれた取付溝８と、さらに取付溝８に連設するよう中間部分から根元部分にかけて同じく右方向に切り込まれたスライド溝９とが設けられている。そして取付溝８の開口端１０は外方に向かって拡開するように形成されている。
【００１５】
また、第２の取付金具４は室内ユニット本体２の右側面に設けられていて、これには先端から左方向に中間部分にかけて切り込まれ中間部分では前後方向に切り込まれたＴ字状の取付溝１１が設けられている。そして取付溝１１の開口端１２は外方に向かって拡開するように形成されている。
【００１６】
一方、吊りボルト５の垂設ピッチを前後方向がＸ、左右方向がＹであるとすると、第１の取付金具３同志の取付溝８中心間のピッチ及び第２の取付金具４同志の取付溝１１中心間のピッチはＸとなっている。さらに第１の取付金具３の中間部分に前後方向に切り込まれた取付溝８の中心と、この第１の取付金具３に相対するように設けられた第２の取付金具４の中間部分に前後方向に切り込まれた取付溝１１の中心間のピッチはＹとなっている。
【００１７】
また、第１の取付金具３のスライド溝９の切り込み深さＡは、第２の取付金具４の室内ユニット本体２の右側面からの延出長さＢに対し、
Ａ≧Ｂ
となっている。
【００１８】
さらに本体ユニット１の左右方向の幅寸法Ｐ、すなわち室内ユニット本体２の側面から延出した第１及び第２の取付金具３，４の先端間の寸法と、本体ユニット１の前後方向の奥行寸法Ｑ、すなわち室内ユニット本体２の奥行寸法とは、それぞれ天井の取付開口７の左右方向の幅寸法Ｒ及びは前後方向の奥行寸法Ｓに等しいか、それ以下の寸法となっている。
【００１９】
次に上記構成の室内ユニット１の天井への据え付けについて説明する。
まず図３に示す第１の過程において、室内ユニット本体２の両側部分を両手で支えるようにし、さらに室内ユニット１を天井の取付開口７に差し入れ易いよう左側面側が上方側となるように傾斜させて天井面の下方から差し入れる。
【００２０】
続く図４に示す第２の過程において、室内ユニット本体２の左側面に設けられた第１の取付金具３の外方に向け拡開する開口端１０を有する取付溝８を、天井内に垂設された吊りボルト５の左側の対応するものに挿入する。この第１の取付金具３の吊りボルト５への挿入は、吊りボルト５に予め挿入しやすいよう第１の取付金具３の厚さより若干広い間隔で螺着されている２つのナット６の間に行い、下方側ナット６上に載せて室内ユニット本体２の片方を保持させる。
【００２１】
第１の取付金具３の取付溝８を吊りボルト５に挿入した後、取付溝８に連設するスライド溝９内を吊りボルト５がスライドするようにして室内ユニット１を、略水平にした状態で左方向に移動させ、吊りボルト５がスライド溝９の最奥部に位置するようにする。これにより室内ユニット１が略水平の状態で、室内ユニット本体２の右側面に設けられた第２の取付金具４の先端部分が右側の吊りボルト５の左側に位置するようになる。
【００２２】
次に、図５に示す第３の過程において、室内ユニット１を略水平にしたままの状態で、室内ユニット本体２の右側面に設けられた第２の取付金具４の取付溝１１を、その外方に向け拡開する開口端１２から天井内に垂設された右側の対応する吊りボルト５に室内ユニット１を右方向に移動させて挿入する。取付溝１１の最奥部に吊りボルト５が位置するようにすると、室内ユニット１の左側の取付金具３では取付溝８の最右部分に吊りボルト５が位置する。
【００２３】
この後、取付溝８及び取付溝１１の前後方向の溝部分を使って天井の取付開口７に対する室内ユニット本体２の前後方向の位置の最終調節を行い、上方側のナット６を締め込むことによって第１及び第２の取付金具３，４を吊りボルト５に固定し室内ユニット１の天井への据え付けを完了する。
【００２４】
以上説明した通り、室内ユニット１の据え付けに際し、室内ユニット１は天井に形成された取付開口７の大きさ以下であるため、この取付開口７の下方側から天井内に室内ユニット１を差し入れることができる。また第１及び第２の取付金具３，４はそれぞれ開口端１０，１２が外方に向け拡開するもので、開口端１０，１２は取付溝８，１１の溝幅より大きいため、開口端１０，１２と吊りボルト５との位置を合わせることは容易で、吊りボルト５への取付溝８，１１の挿入が簡単に行うことができる。
【００２５】
さらに第１の取付金具３には取付溝８に連設するように所定長さのスライド溝９が形成されているので、室内ユニット１を水平方向にスライドさせスライド溝９の最奥部までを吊りボルト５に挿入することができる。これにより室内ユニット１を大きく傾ける必要もなく、第２の取付金具４の取付溝１１の開口端１２を対応する対向させることができる。
【００２６】
そして室内ユニット１を逆方向に再び水平にスライドさせ、取付溝１１を吊りボルト５に最奥部まで挿入することで左右方向における所定の取付け位置に室内ユニット１を容易に位置させることができる。その後は第１及び第２の取付金具３，４の厚さより若干大きく離した２つのナット６のうちの上方側を締め込み、第１及び第２の取付金具３，４を固定することで短時間のうちに室内ユニット１の据え付けが完了する。
【００２７】
また上述の据付過程では、天井内に差し入れた室内ユニット１の片方側の第１の取付金具３を片方側の吊りボルト５に螺着した下方側のナット６上に一旦載せて、その後に室内ユニット１を水平方向左右にスライドさせ、第２の取付金具４を他方側の吊りボルト５に螺着した下方側のナット６上に載せるようにしているので、作業中特別な室内ユニット本体２の保持を必要とせず、リフターや室内ユニット１が比較的軽量である場合に複数の作業者による作業を要しない。その結果、室内ユニット１の天井への据付性が著しく向上したものとなる。
【００２８】
次に、上述の実施形態における第１の取付金具３を図６に示す部分斜視図のように形成した第１の変形形態について説明する。図６において、室内ユニット１３は室内ユニット本体２の図中左側の側面から第１の取付金具１４が延出している。第１の取付金具１４は、先端部分が下方に鉤状に折曲った折曲部１５となっていて、先端から右方向に中間部分にかけて切り込まれ中間部分では前後方向に切り込まれた取付溝８と、さらに取付溝８に連設するよう中間部分から根元部分にかけて同じく右方向に切り込まれたスライド溝９とが設けられている。なお、室内ユニット本体２の右側の側面からは図示しないが上述の第２の取付金具４と同じ第２の取付金具が延出している。
【００２９】
このように構成したものでは、室内ユニット１３を据え付ける際に天井内に室内ユニット１３の左側部分を先に差し入れた後、第１の取付金具１４の下側に位置する図示しない吊りボルトのナットを折曲部１５に引っ掛けることにより室内ユニット１３の一時仮置きを行うことができ、この場合においても室内ユニット１３の天井への据付性を向上させることができる。
【００３０】
また、上述の実施形態における第２の取付金具４を図７に示す要部の平面図のように形成した第２の変形形態について説明する。図７において、室内ユニット１６は室内ユニット本体２の図中左側の側面から第１の取付金具３が延出しており、右側の側面からは長さＣの第２の取付金具１７が延出している。なお、第２の取付金具１７の延出長さＣは、
Ａ＜Ｃ
となっている。
【００３１】
さらに第２の取付金具１７には取付溝に替えてだるま状の取付孔１８が形成されていて、取付孔１８の右側に形成された大径部１９の大きさは、図示しない吊りボルトに螺着されているナットが貫通可能な大きさであり、左側に形成された小径部２０はナットが不貫通で吊りボルトが貫通可能な大きさとなっている。
【００３２】
このように構成されたものでは、室内ユニット１６を天井の取付開口７に下方から差し入れ、第１の取付金具３の取付溝８を吊りボルトの左側の対応するものの下方側ナット上に載せるようにして挿入する。続いてスライド溝９内を吊りボルトがスライドするようにし、室内ユニット１６を略水平にした状態で左方向に移動させ、吊りボルトの下端直下に第２の取付金具１７の取付孔１８の大径部１９が位置するようにする。
【００３３】
そして取付孔１８の大径部１９を吊りボルトが貫通した状態で室内ユニット１６を持ち上げ、第２の取付金具１７が吊りボルトに螺着された２つのナットの間に位置するようにする。その後、室内ユニット１６を略水平にしたまま右方向に移動させ、吊りボルトと取付孔１８の小径部２０とを係合させてからナットを締め込むことにより、室内ユニット１６の天井への据え付けを完了する。
【００３４】
その結果、本変形形態においても据付性を向上させることができる。
【００３５】
【発明の効果】
以上の説明から明らかなように、本発明は、本体の相対する側面に設けられた取付金具の少なくとも一方においては、天井内部の吊り支持棒に挿入して固定する取付溝の開口端が外方に向かって拡開するよう構成し、本体の片側面に設けられた取付金具には、吊り支持棒の挿入方向の取付溝と本体との間にスライド溝を連設するよう設けた構成としたことにより、据付作業が容易なものとなり据え付けが短時間のうちに行え、据付性が向上する等の効果が得られる。
【図面の簡単な説明】
【図１】本発明の一実施形態を示す斜視図である。
【図２】本発明の一実施形態における要部の平面図である。
【図３】本発明の一実施形態における据え付けの第１の過程を示す斜視図である。
【図４】本発明の一実施形態における据え付けの第２の過程を示す図で、図４（ａ）は斜視図、図４（ｂ）は要部の平面図である。
【図５】本発明の一実施形態における据え付けの第３の過程を示す図で、図５（ａ）は斜視図、図５（ｂ）は要部の平面図である。
【図６】本発明の一実施形態に係る第１の変形形態の部分斜視図である。
【図７】本発明の一実施形態に係る第２の変形形態の要部の平面図である。
【符号の説明】
２…室内ユニット本体
３…第１の取付金具
４…第２の取付金具
５…吊りボルト
６…ナット
７…取付開口
８，１１…取付溝
９…スライド溝
１０，１２…開口端
【図１】
0003571116.tif 000002
【図２】
0003571116.tif 000003
【図３】
0003571116.tif 000004
【図４】
0003571116.tif 000005
【図５】
0003571116.tif 000006
【図６】
0003571116.tif 000007
【図７】
0003571116.tif 000008